【手続補正書】
【提出日】平成19年11月7日(2007.11.7)
【手続補正１】
【補正対象書類名】明細書
【補正対象項目名】００４８
【補正方法】変更
【補正の内容】
【００４８】
画像補間部１２１−１は、画像入力部１１１から供給される画像データに対して、垂直方向の補間処理を行い、補間した画像データを画像補間部１２１−２に供給する。画像補間部１２１−２は、画像補間部１２１−１から供給される画像データに対して、水平方向の補間処理を行い、補間した画像データを画像表示部１１３に供給する。なお、以下、画像補間部１２１−１および１２１−２を個々に区別する必要がない場合、単に、画像補間部１２１と称する。
【手続補正２】
【補正対象書類名】明細書
【補正対象項目名】００５７
【補正方法】変更
【補正の内容】
【００５７】
図１５はルーフエッジの例を示す図である。また、図１６は、図１０と同様のグラフであり、図１５の画像の横方向の画素値の変化を表している。ルーフエッジは、リッジと比較して、線の境界が曖昧となる場合のエッジであり、図１６に示されるように、画素値が、図１４に示されるパルス状の波形と比較して緩やかな傾斜を持つ山状（または谷状）に変化する。
【手続補正３】
【補正対象書類名】明細書
【補正対象項目名】００５８
【補正方法】変更
【補正の内容】
【００５８】
また、複数のエッジが組み合わされた画像の一例として、ストライプがある。図１７はストライプの例を示す図である。また、図１８は、図１０と同様のグラフであり、図１７の画像の横方向の画素値の変化を表している。ストライプは、ほぼ同じ方向の複数のリッジが短い間隔で（短い周期で）並んだものであり、例えば、画像の縞模様に相当する。ストライプにおいては、図１８に示されるように、リッジの向きに対してほぼ垂直な方向において、画素値が急峻なパルス状に変化する領域が、短い間隔で複数現れる。
【手続補正４】
【補正対象書類名】明細書
【補正対象項目名】０１３６
【補正方法】変更
【補正の内容】
【０１３６】
加算計算部２１４は、加算値SDを示すデータを絶対値計算部２１５に供給する。
【手続補正５】
【補正対象書類名】明細書
【補正対象項目名】０１４０
【補正方法】変更
【補正の内容】
【０１４０】
絶対計算部２１５は、加算絶対値SADを示すデータを差分計算部２１６に供給する。
【手続補正６】
【補正対象書類名】明細書
【補正対象項目名】０１８８
【補正方法】変更
【補正の内容】
【０１８８】
画像強調部４２１−１は、図４３などを参照して後述するように、画像入力部１１１から供給される画像データの垂直方向について、画像強調処理を施し、画像強調処理を施した画像データを画像強調部４２１−２に供給する。画像強調部４２１−２は、図４３などを参照して後述するように、画像強調部４２１−１から供給される画像データの水平方向について、画像強調処理を施し、画像強調処理を施した画像データを画像表示部１１３に供給する。なお、以下、画像強調部４２１−１および４２１−２を個々に区別する必要がない場合、単に、画像強調部４２１と称する。
【手続補正７】
【補正対象書類名】明細書
【補正対象項目名】０２３５
【補正方法】変更
【補正の内容】
【０２３５】
ステップＳ１０９において、画像強調部４２１−１は、垂直方向の画像強調処理が終了したか否かを判定する。画像強調部４２１−１は、まだ画像強調処理を施していない画素が残っている場合、垂直方向の画像強調処理が終了していないと判定し、処理はステップＳ１０２に戻る。その後、ステップＳ１０９において、垂直方向の画像強調処理が終了したと判定されるまで、ステップＳ１０２乃至Ｓ１０９の処理が繰り返し実行される。すなわち、画像入力部１１１から入力された画像データの各画素に対応する画素値M2が計算され、画素値M2を示すデータが画像強調部４２１−２に供給される。
【手続補正８】
【補正対象書類名】明細書
【補正対象項目名】０２６３
【補正方法】変更
【補正の内容】
【０２６３】
【図１】画像の補間方法の特徴を示す表である。
【図２】拡大前の原画像を示す図である。
【図３】図２の原画像をバイキュービック補間法を用いて拡大した画像を示す図である。
【図４】図２の原画像を高次数補間フィルタ補間法を用いて拡大した画像を示す図である。
【図５】図３および図４の画像の画素値の変化を示すグラフである。
【図６】図２の原画像を斜め線補間法を用いて拡大した画像を示す図である。
【図７】本発明を適用した解像度変換装置の一実施の形態を示すブロック図である。
【図８】図７の画像補間部の機能の構成の例を示すブロック図である。
【図９】ステップエッジの例を示す図である。
【図１０】図９の画像の画素値の変化を示すグラフである。
【図１１】ランプエッジの例を示す図である。
【図１２】図１１の画像の画素値の変化を示すグラフである。
【図１３】リッジの例を示す図である。
【図１４】図１３の画像の画素値の変化を示すグラフである。
【図１５】ルーフエッジの例を示す図である。
【図１６】図１５の画像の画素値の変化を示すグラフである。
【図１７】ストライプの例を示す図である。
【図１８】図１７の画像の画素値の変化を示すグラフである。
【図１９】図８のエッジ領域検出部の機能の構成の例を示すブロック図である。
【図２０】図８のエッジ領域検出部に入力される画素値の例を示す図である。
【図２１】図１９の正規化計算部に入力されるデータの詳細を示す図である。
【図２２】図８のリッジ領域検出部の機能の構成の例を示すブロック図である。
【図２３】図８のリッジ領域用補間演算部の機能の構成の例を示すブロック図である。
【図２４】図８のエッジ領域用補間演算部の機能の構成の例を示すブロック図である。
【図２５】図８の平坦領域用補間演算部の機能の構成の例を示すブロック図である。
【図２６】図７の解像度変換装置により実行される解像度変換処理を説明するためのフローチャートである。
【図２７】図２６のステップＳ２およびＳ１０のエッジ領域検出処理の詳細を説明するためのフローチャートである。
【図２８】図８のエッジ領域検出部に入力される画素値の例を示す図である。
【図２９】図１９の正規化計算部の入力と出力の関係を示すグラフである。
【図３０】図２６のステップＳ３およびＳ１１のリッジ領域検出処理の詳細を説明するためのフローチャートである。
【図３１】図２２の正規化計算部の入力と出力の関係を示すグラフである。
【図３２】斜め線補間を説明するための図である。
【図３３】斜め線補間を説明するための図である。
【図３４】図２の原画像に基づいて図８のエッジ領域検出部により生成されるエッジ領域重み信号に基づく画像を示す図である。
【図３５】図２の原画像に基づいて図８のリッジ領域検出部により生成されるリッジ領域重み信号に基づく画像を示す図である。
【図３６】図２、図３４、図３５の画像の画素値の変化を示すグラフである。
【図３７】図２の原画像を図７の解像度変換装置により拡大した画像の例を示す図である。
【図３８】本発明を適用した画像強調装置の一実施の形態を示すブロック図である。
【図３９】図３８の画像強調部の機能の構成の例を示すブロック図である。
【図４０】図３９の第一強調演算部の機能の構成の例を示すブロック図である。
【図４１】図４０の信号補正部の機能の構成の例を示すブロック図である。
【図４２】図３９の第二強調演算部の機能の構成の例を示すブロック図である。
【図４３】図３８の画像強調装置により実行される画像強調処理を説明するためのフローチャートである。
【図４４】図４１のコアリングの入力と出力の関係を示すグラフである。
【図４５】パーソナルコンピュータの構成例を示すブロック図である。
【手続補正９】
【補正対象書類名】図面
【補正対象項目名】図４３
【補正方法】変更
【補正の内容】
【図４３】
2007241352.tif 000001